(57)【要約】【課題】天井への取付け利便性を向上させることのできる照明装置を提供すること。【解決手段】実施形態に係る照明装置は、光源１１０と、筐体１００と、第１の取付部材２００１と、第２の取付部材２００２とを具備する。第１の取付部材２００１及び第２の取付部材２００２は、筐体１００に取り付けられる第１の取付部２１０と、第１の取付部２１０と交わる方向に第１の取付部２１０から延伸する第１の延伸部２２０と、第１の取付部２１０と対向し、第１の延伸部２２０と交わる方向に第１の延伸部２２０から延伸する第２の延伸部２３０と、第１の取付部２１０から離れる方向に第２の延伸部２３０から延伸し、第１の面２４０ａと第１の面２４０ａの裏側の第２の面２４０ｂとを有する第２の取付部２４０とをそれぞれ有する。【選択図】図１
2016126944.tif 000002
【特許請求の範囲】
【請求項１】
光源と、前記光源を収納する筐体と、第１の梁に前記筐体を取り付ける第１の取付部材と、前記第１の梁と離間して設けられる第２の梁に前記筐体を取り付ける第２の取付部材とを具備する照明装置であって、
前記第１の取付部材及び前記第２の取付部材は、
前記筐体に取り付けられる第１の取付部と、
前記第１の取付部と交わる方向に当該第１の取付部から延伸する第１の延伸部と、
前記第１の取付部と対向し、前記第１の延伸部と交わる方向に当該第１の延伸部から延伸する第２の延伸部と、
前記第１の取付部から離れる方向に前記第２の延伸部から延伸し、第１の面と当該第１の面の裏側の第２の面とを有する第２の取付部と
をそれぞれ有し、
前記第１の取付部材は、
前記第２の取付部の前記第１の面が前記第１の梁に固定され、
前記第２の取付部材は、
前記第２の取付部の前記第２の面が前記第２の梁に固定される
ことを特徴とする照明装置。
【請求項２】
前記第２の取付部材は、
前記第１の梁と高さが異なる第２の梁に前記筐体を取り付ける
ことを特徴とする請求項１に記載の照明装置。
【請求項３】
前記第１の取付部材及び前記第２の取付部材は、
前記第１の取付部が、前記第１の梁の高さより短く、かつ、前記第２の梁の高さより長い
ことを特徴とする請求項１または２に記載の照明装置。
【請求項４】
前記第１の取付部材及び前記第２の取付部材は、
前記第２の延伸部が前記第１の梁の高さ及び前記第２の梁の高さより短い
ことを特徴とする請求項１〜３のいずれか一つに記載の照明装置。
【発明の詳細な説明】
【技術分野】
【０００１】
本発明は、照明装置に関する。
【背景技術】
【０００２】
近年は、白熱ランプ，蛍光ランプ，ＬＥＤ（Light  Emitting  Diode）ランプなど、多様な光源を採用した照明装置が提供されるようになった。これらのランプは、Ｅ２５口金に代表されるソケットに着脱可能に装着される電球型の照明器具の他に、屋内の天井に埋め込み設置されるダウンライト型の照明器具が知られている。しかし、後者のダウンライト型の照明器具は、天井裏に存在する既存の構造物や器具を足場として固定されることが多いことから、天井によっては取り付けが困難な場合がある。
【先行技術文献】
【特許文献】
【０００３】
【特許文献１】特開２０１４−６７５０５号公報
【発明の概要】
【発明が解決しようとする課題】
【０００４】
本発明が解決しようとする課題は、天井への取付け利便性を向上させることのできる照明装置を提供することである。
【課題を解決するための手段】
【０００５】
実施形態に係る照明装置は、光源と、光源を収納する筐体と、第１の梁に筐体を取り付ける第１の取付部材と、第１の梁と離間して設けられる第２の梁に筐体を取り付ける第２の取付部材とを具備する。第１の取付部材及び第２の取付部材は、筐体に取り付けられる第１の取付部と、第１の取付部と交わる方向に第１の取付部から延伸する第１の延伸部と、第１の取付部と対向し、第１の延伸部と交わる方向に第１の延伸部から延伸する第２の延伸部と、第１の取付部から離れる方向に第２の延伸部から延伸し、第１の面と第１の面の裏側の第２の面とを有する第２の取付部とをそれぞれ有し、第１の取付部材は、第２の取付部の第１の面が第１の梁に固定され、第２の取付部材は、第２の取付部の第２の面が第２の梁に固定される。
【発明の効果】
【０００６】
実施形態の照明装置によれば、天井への取付け利便性を向上させることのできる照明装置を提供することができるという効果が期待できる。
【図面の簡単な説明】
【０００７】
【図１】図１は、実施形態に係る照明装置の一例を示す断面図である。
【図２】図２は、実施形態に係る取付部材の一例を示す斜視図である。
【図３】図３は、実施形態に係る照明装置の適用範囲を説明するための説明図である。
【図４】図４は、照明装置の一例を示す断面図である。
【図５】図５は、取付部材の一例を示す斜視図である。
【発明を実施するための形態】
【０００８】
以下で説明する実施形態に係る照明装置１は、光源１１０と、光源１１０を収納する筐体１００と、梁３００１に筐体１００を取り付ける取付部材２００１と、梁３００１と離間して設けられる梁３００２に筐体１００を取り付ける取付部材２００２とを具備する。取付部材２００１及び取付部材２００２は曲げ加工された金属板からなり、筐体１００に取り付けられる第１の取付部２１０と、第１の取付部２１０と交わる方向に第１の取付部２１０から延伸する第１の延伸部２２０と、第１の取付部２１０と対向し、第１の延伸部２２０と交わる方向に第１の延伸部２２０から延伸する第２の延伸部２３０と、第１の取付部２１０から離れる方向に第２の延伸部２３０から延伸し、面２４０ａと面２４０ａの裏側の面２４０ｂとを有する第２の取付部２４０とをそれぞれ有する。取付部材２００１は、第２の取付部２４０の面２４０ａが梁３００１に固定され、取付部材２００２は、第２の取付部２４０の面２４０ｂが梁３００２に固定される。
【０００９】
また、以下で説明する実施形態に係る照明装置１において、取付部材２００２は、梁３００１と高さが異なる梁３００２に筐体１００を取り付けてもよい。
【００１０】
また、以下で説明する実施形態に係る照明装置１において、取付部材２００１及び取付部材２００２は、第１の取付部２１０が、梁３００１の高さより短く、かつ、梁３００２の高さより長くてもよい。
【００１１】
また、以下で説明する実施形態に係る照明装置１において、取付部材２００１及び取付部材２００２は、第２の延伸部２３０が梁３００１の高さ及び梁３００２の高さより短くてもよい。
【００１２】
以下、図面を参照して、実施形態に係る照明装置を説明する。なお、実施形態において同一の機能を有する構成には同一の符号を付し、重複する説明は省略する。また、以下の実施形態で説明する照明装置は、一例を示すに過ぎず、本発明を限定するものではない。また、以下の実施形態は、矛盾しない範囲内で適宜組みあわせても良い。
【００１３】
以下、実施形態の照明装置１について、図１〜図５を参照して説明する。
【００１４】
図１は、実施形態に係る照明装置１の一例を示す断面図である。図１に示すように、照明装置１は、筐体１００と、取付部材２００１（第１の取付部材に相当）と、取付部材２００２（第２の取付部材に相当）と、ねじ２８０１と、取付ねじ４００１〜４００２と、座金５００１〜５００２とを具備する。なお、取付部材２００１及び取付部材２００２を区別しない場合には、取付部材２００と表記する場合がある。
【００１５】
筐体１００は、各種の部品を収納する。具体的には、筐体１００は、光源１１０を収納する。また、筐体１００は、梁３００１（第１の梁に相当）と、梁３００１と離間して設けられる梁３００２（第２の梁に相当）との間に設置される。例えば、筐体１００は、天井Ｃｅの裏に設けられた梁３００１と梁３００２とに取り付けられる。
【００１６】
光源１１０は、光を照射する。例えば、光源１１０は、電力が供給されることで光を照射するチップオンボード（ＣＯＢ）型のＬＥＤモジュールを有する。図１の例では、光源１１０は、天井面ＣｅからＸ方向（室内方向）に光を照射するように筐体１００の内部に設置されている。
【００１７】
取付部材２００１は、梁３００１に筐体１００を取り付ける。取付部材２００２は、梁３００１と離間して設けられる梁３００２に筐体１００を取り付ける。この点について、図１及び図２を用いて説明する。図２は、実施形態に係る取付部材２００１及び取付部材２００２の一例を示す斜視図である。
【００１８】
取付部材２００１及び取付部材２００２は、同一形状のものを用いることができる。具体的には、取付部材２００１及び取付部材２００２は、図２に示すように、第１の取付部２１０と、第１の延伸部２２０と、第２の延伸部２３０と、第２の取付部２４０とをそれぞれ有する。
【００１９】
第１の取付部２１０は、筐体１００に取り付けられる。第１の取付部２１０は、後述する取付ねじ４００１〜４００２が通る長穴２１０ＳＰを有する。長穴２１０ＳＰは、Ｙ方向と反対方向の端部２１０ＳＰ１と、Ｙ方向の端部２１０ＳＰ２とを有する。これにより、取付部材２００１及び取付部材２００２の第１の取付部２１０は、長穴２１０ＳＰに取付ねじ４００１〜４００２を通して筐体１００にそれぞれ取り付けられる。
【００２０】
第１の延伸部２２０は、第１の取付部２１０と交わる方向に第１の取付部２１０から延伸する。図２の例では、第１の延伸部２２０は、第１の取付部２１０のうちＹ方向に位置する端部からＹ方向と直交するＺ方向に延伸する。なお、第１の延伸部２２０は、第１の取付部２１０の端部に限らず、第１の取付部２１０の任意の位置から延伸してもよい。
【００２１】
第２の延伸部２３０は、第１の取付部２１０と対向する。また、第２の延伸部２３０は、第１の延伸部２２０と交わる方向に第１の延伸部２２０から延伸する。図２の例では、第２の延伸部２３０は、第１の取付部２１０とＺ方向に対向する。また、第２の延伸部２３０は、第１の延伸部２２０のうちＺ方向に位置する端部からＹ方向と反対方向に延伸する。また、図２の例では、第２の延伸部２３０は、第１の取付部２１０より短い。なお、第２の延伸部２３０は、第１の取付部２１０より長くてもよい。また、第２の延伸部２３０は、第１の延伸部２２０の端部に限らず、第１の延伸部２２０の任意の位置から延伸してもよい。
【００２２】
第２の取付部２４０は、第１の取付部２１０から離れる方向に第２の延伸部２３０から延伸する。図２の例では、第２の取付部２４０は、第２の延伸部２３０のうちＹ方向と反対方向に位置する端部からＺ方向に延伸する。なお、第２の取付部２４０は、第２の延伸部２３０の端部に限らず、第２の延伸部２３０の任意の位置から延伸してもよい。
【００２３】
また、第２の取付部２４０は、面２４０ａ（第１の面に相当）と面２４０ａの裏側の面２４０ｂ（第２の面に相当）とを有する。図１の例では、取付部材２００１は、第２の取付部２４０の面２４０ａが梁３００１に固定される。取付部材２００２は、第２の取付部２４０の面２４０ｂが梁３００２に固定される。また、第２の取付部２４０は、図２に示すように、後述するねじ２８０１が通る丸穴２４０ＳＰを有する。これにより、第２の取付部２４０は、丸穴２４０ＳＰにねじ２８０１を通すことで梁３００１に固定される。
【００２４】
また、取付部材２００２は、天井面Ｃｅを基準にして梁３００１と高さが異なる梁３００２に筐体１００を取り付ける。図１の例では、梁３００２は、梁３００１より高さが低い。このため、取付部材２００１は、梁３００２と比較して高さが高い梁３００１に筐体１００を取り付ける。また、取付部材２００２は、梁３００１と比較して高さが低い梁３００２に筐体１００を取り付ける。このように、照明装置１は、同一形状である取付部材２００１及び取付部材２００２の向きを変えて配置することで高さが異なる梁が設けられた天井にも取り付け可能である。
【００２５】
また、取付部材２００は、第１の取付部２１０が、一方の梁の高さより長く他方の梁の高さより短い。図１及び図２の例では、取付部材２００は、第１の取付部２１０が、梁３００１の高さより短く、かつ、梁３００２の高さより長い。これにより、照明装置１は、梁の高さに応じて第１の取付部２１０を配置する向きを変えることで、取付部材２００が天井からはみ出ることなく筐体１００を梁に取り付けることができる。
【００２６】
また、取付部材２００は、第２の延伸部２３０が両方の梁の高さより短い。図１及び図２の例では、取付部材２００は、第２の延伸部２３０が梁３００１の高さ及び梁３００２の高さより短い。これにより、照明装置１は、第２の延伸部２３０を配置する向きに関わらず、取付部材２００が天井からはみ出ることなく筐体１００を梁に取り付けることができる。
【００２７】
ねじ２８０１は、取付部材２００１を梁３００１に固定する。具体的には、ねじ２８０１は、第２の取付部２４０が有する丸穴２４０ＳＰを通って取付部材２００１を梁３００１に固定する。
【００２８】
取付ねじ４００１〜４００２は、取付部材２００１及び取付部材２００２を筐体１００に固定する。例えば、取付ねじ４００１〜４００２は、第１の取付部２１０が有する長穴２１０ＳＰを通って取付部材２００１及び取付部材２００２のそれぞれを筐体１００に固定する。一例としては、取付ねじ４００１〜４００２は、筐体１００の内側から取付部材２００１及び取付部材２００２を固定する。
【００２９】
座金５００１〜５００２は、筐体１００と、取付部材２００１及び取付部材２００２との間に設置される。座金５００１〜５００２は、取付ねじ４００１〜４００２を嵌めることで取付部材２００１及び取付部材２００２を筐体１００に固定する。
【００３０】
このように、照明装置１は、取付部材２００１及び取付部材２００２が２つの取付面である面２４０ａ〜２４０ｂをそれぞれ有するので、天井への取付け利便性を向上させることができる。この点について、図３〜図５を用いて説明する。図３は、実施形態に係る照明装置１の適用範囲を説明するための説明図である。
【００３１】
図３の例では、照明装置１は、梁３００１の高さがＨ１１〜Ｈ１２の範囲内であれば、取付部材２００１によって筐体１００を梁３００１に取り付けることができる。すなわち、照明装置１は、図２に示す長穴の端部２１０ＳＰ２が取付ねじ４００１と接しているときの第１の取付部２１０の位置の高さＨ１２から長穴の端部２１０ＳＰ１が取付ねじ４００１と接しているときの第１の取付部２１０の位置の高さＨ１１までの高さである梁に取り付け可能である。また、照明装置１は、梁３００２の高さがＨ２１〜Ｈ２２の範囲内であれば、取付部材２００２によって筐体１００を梁３００２に取り付けることができる。すなわち、照明装置１は、図２に示す長穴の端部２１０ＳＰ１が取付ねじ４００２と接しているときの第１の取付部２１０の位置の高さＨ２２から長穴の端部２１０ＳＰ２が取付ねじ４００２と接しているときの第１の取付部２１０の位置の高さＨ２１までの高さである梁に取り付け可能である。
【００３２】
ここで、上述した照明装置１と比較するために、図４を用いて、Ｌ字型の取付部材１２００１及び取付部材１２００２によって天井面Ｃｅに取り付けられる照明装置２について説明する。図４は、照明装置２の一例を示す断面図である。図４の例では、照明装置２は、筐体１１００と、取付部材１２００１と、取付部材１２００２と、ねじ１２８０１と、取付ねじ１４００１〜１４００２と、座金１５００１〜１５００２とを具備する。なお、取付部材１２００１及び取付部材１２００２を区別しない場合には、取付部材１２００と表記する場合がある。
【００３３】
筐体１１００は、光源１１１０を収納する。また、筐体１１００は、梁１３００１と、梁１３００１と離間して設けられる梁１３００２との間に設置される。梁１３００１及び梁１３００２は、天井面Ｃｅからの高さが同一である。
【００３４】
取付部材１２００１及び取付部材１２００２は、Ｌ字型の金具である。この点について、図５を用いて説明する。図５は、取付部材１２００１及び取付部材１２００２の一例を示す斜視図である。
【００３５】
取付部材１２００１及び取付部材１２００２は、同一の形状である。具体的には、取付部材１２００１及び取付部材１２００２は、図５に示すように、第１の取付部１２１０と、第２の取付部１２２０とをそれぞれ有する。
【００３６】
第１の取付部１２１０は、筐体１１００に取り付けられる。例えば、取付部材１２００の第１の取付部１２１０は、図５に示すように、取付ねじ１４００１〜１４００２が通る長穴１２１０ＳＰを有する。長穴１２１０ＳＰは、Ｙ方向と反対方向の端部１２１０ＳＰ１と、Ｙ方向の端部１２１０ＳＰ２とを有する。すなわち、第１の取付部１２１０は、図２に示す第１の取付部２１０と同一の形状である。これにより、取付部材１２００１及び取付部材１２００２の第１の取付部１２１０は、図４に示すように、取付ねじ１４００１〜１４００２を用いて筐体１１００にそれぞれ取り付けられる。
【００３７】
第２の取付部１２２０は、第１の取付部１２１０と交わる方向に第１の取付部１２１０から延伸する。図５の例では、第２の取付部１２２０は、第１の取付部１２１０のうち最もＹ方向に位置する端部からＹ方向と直交するＺ方向に延伸する。また、第２の取付部１２２０は、面１２２０ａと面１２２０ａの裏側の面１２２０ｂとを有する。図４の例では、取付部材１２００１は、第２の取付部１２２０の面１２２０ａが梁１３００１に固定される。取付部材１２００２は、第２の取付部１２２０の面１２２０ｂが梁１３００２に固定される。また、第２の取付部１２２０は、図５に示すように、ねじ１２８０１が通る長穴１２２０ＳＰを有する。
【００３８】
このように、取付部材１２００は、取付部材２００と比較して、第２の延伸部２３０及び第２の取付部２４０を有さない点が異なる。このような取付部材１２００１及び取付部材１２００２を有する照明装置２は、梁１３００１及び梁１３００２の高さが第１の取付部１２１０より短い場合には、筐体１１００を梁１３００１及び梁１３００２に取り付けることができない。言い換えると、照明装置２は、梁１３００１及び梁１３００２の高さが第１の取付部１２１０より長い場合のみ、筐体１１００を梁１３００１及び梁１３００２に取り付け可能である。このため、照明装置２は、図５に示す第１の取付部１２１０のＹ方向の高さから長穴の端部１２１０ＳＰ１が取付ねじ１４００と接しているときの第１の取付部１２１０の位置の高さの範囲内の高さである梁に取り付け可能である。これにより、照明装置２は、照明装置１と比較して、取り付け可能な梁の高さの許容範囲が狭いので、取り付け可能な天井に比較的多くの制約を伴う。
【００３９】
一方、図１に示す照明装置１は、梁３００１及び梁３００２の高さが第１の取付部２１０より長い場合でも短い場合でも筐体１００を梁３００１及び梁３００２に取り付けることができる。このため、照明装置１は、照明装置２と比較して、天井への取付け利便性が向上していることから、より多様な天井に取り付け可能である。
【００４０】
また、照明装置１は、同一の形状である取付部材２００１及び取付部材２００２によって筐体１００を梁３００１及び梁３００２に固定するので、費用を低減することができる。例えば、照明装置１は、２つの梁の高さが異なる天井でも、１つの形状の取付部材２００によって筐体１００を取り付けることができるので、取付部材を左右２種類製作したり、梁の高さに応じて取付部材を物件毎に製作する場合と比較して費用を抑えることができる。
【００４１】
以上説明したとおり、上記実施形態によれば、天井への取付け利便性を向上させることのできる照明装置を提供することができる。
【００４２】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１    照明装置
１００  筐体
１１０  光源
２００  取付部材
２１０  第１の取付部
２２０  第１の延伸部
２３０  第２の延伸部
２４０  第２の取付部
３００  梁
【図１】
2016126944.tif 000003
【図２】
2016126944.tif 000004
【図３】
2016126944.tif 000005
【図４】
2016126944.tif 000006
【図５】
2016126944.tif 000007